(57)【要約】【課題】  ヘッドスピードが一定の値を超えるインパクトの瞬間を認識しやすいゴルフスイング練習機を提供すること。【解決手段】  本発明は、基端部にグリップが装着されるシャフトＳの先端部に固定された連結部１と、前記連結部１から延び出る突出部２と、前記突出部２に沿ってスライド移動可能な状態で当該突出部２に外装された錘体３と、前記錘体３を前記シャフトＳ側へ引き寄せて吸着し保持する磁石４と、前記突出部２の先端部に形成され、前記錘体３が前記突出部２から抜け出すことを防止する抜け止め部５と、からなるヘッド部Ｈを備え、スイング速度が所定の値を超えた際に、前記磁石４による前記錘体３の吸着が解除され、前記錘体３が前記抜け止め部５と衝突することで衝突音を発生し、インパクトの瞬間を認識できるゴルフスイング練習機１０である。【選択図】図１
2018015025.tif 000002
【特許請求の範囲】
【請求項１】
基端部にグリップが装着されるシャフトの先端部に固定された連結部と、
前記連結部から延び出る突出部と、
前記突出部に沿ってスライド移動可能な状態で当該突出部に外装された錘体と、
前記錘体を前記シャフト側へ引き寄せて吸着し保持する磁石と、
前記突出部の先端部に形成され、前記錘体が前記突出部から抜け出すことを防止する抜け止め部と、
からなるヘッド部を備え、
スイング速度が所定の値を超えた際に、前記磁石による前記錘体の吸着が解除され、前記錘体が前記抜け止め部と衝突することで、インパクトの瞬間を認識できることを特徴とするゴルフスイング練習機。
【請求項２】
基端部にグリップが装着されるシャフトの先端部において、当該シャフトの延長線上から外れる方向にスライド移動可能に外装された錘体と、
前記錘体を前記シャフト側へ引き寄せて吸着し保持する磁石と、
前記錘体が前記シャフトの先端部から抜け出すことを防止する抜け止め部と、
からなるヘッド部を備え、
スイング速度が所定の値を超えた際に、前記磁石による前記錘体の吸着が解除され、前記錘体が前記抜け止め部と衝突することで、インパクトの瞬間を認識できることを特徴とするゴルフスイング練習機。
【請求項３】
前記錘体がスライド移動した際に生じるヘッド部の重心の移動は、前記シャフトの延長線上からの距離の差として２〜４ｍｍの範囲内であることを特徴とする請求項２に記載のゴルフスイング練習機。
【請求項４】
前記シャフトの延長線上から前記ヘッド部の重心までの距離は、実際のウッドゴルフクラブ又はアイアンゴルフクラブにおけるシャフトの延長線上からそれらのヘッドの重心までの距離と同程度となるように設定されていることを特徴とする請求項１〜３の何れか一項に記載のゴルフスイング練習機。
【請求項５】
前記錘体を前記シャフト側へ付勢するバネを備えていることを特徴とする請求項１〜４の何れか一項に記載のゴルフスイング練習機。
【請求項６】
前記連結部は、非磁性体である亜鉛合金から製造されており、前記錘体と接する部分に前記磁石が埋め込まれていることを特徴とする請求項１に記載のゴルフスイング練習機。
【請求項７】
ゴルフボールのインパクト位置付近において、前記磁石による前記錘体の吸着が解除されるように、前記磁石による前記錘体の吸着力が設定されていることを特徴とする請求項１〜６の何れか一項に記載のゴルフスイング練習機。
【請求項８】
前記錘体がスライド移動できる距離は、５〜２０ｍｍの範囲内であることを特徴とする請求項１〜７の何れか一項に記載のゴルフスイング練習機。
【請求項９】
前記錘体は、貫通孔を有する筒状に形成されており、当該貫通孔に前記突出部が挿通されることで、前記突出部に装着され、かつ、前記錘体を前記連結部側へ付勢するバネが前記貫通孔内に収納されるように配置されていることを特徴とする請求項１又は６に記載のゴルフスイング練習機。
【請求項１０】
前記連結部は、スイング練習の際のアドレス時において前記突出部が水平方向を向くように屈曲形成されていることを特徴とする請求項１、６、９の何れか一項に記載のゴルフスイング練習機。
【発明の詳細な説明】
【技術分野】
【０００１】
本発明は、ゴルフのスイング練習の際に正しいスイングによってヘッドスピードが一定の値を超えるインパクトの瞬間を認識できるゴルフスイング練習機に関するものである。
【背景技術】
【０００２】
従来、ゴルフクラブまたは野球用バットのスイング練習機として、シャフトの先端部に設けたヘッドの内部空間に移動可能な錘を収納し、当該内部空間のグリップ側に配置した磁石によって前記錘を吸着するようにしたものが提案されている（特許文献１，２）。
上記従来のスイング練習機においては、ヘッドが振られる速度が一定の値を超えると、前記磁石による前記錘の吸着が解除され、当該錘が前記内部空間の反グリップ側に衝突することで衝突音が発生し、ヘッドスピードが一定の値を超えたことを確認することができるものである。  
【０００３】
しかしながら、上記のようなスイング練習機においては、錘がヘッドの内部空間に納められているため、錘による衝突音が小さく、ヘッドスピードが一定の値を超えた瞬間を認識しにくいという問題がある。
そこで、図９に示すゴルフスイング練習機１００のように、シャフト１０１の先端部に設けたヘッド１０２の内部空間に移動可能な錘１０３を収納し、当該錘１０３に固定した磁石１０４を内部空間のグリップ側に吸着するように配置するとともに、前記錘１０３による衝突音がヘッド１０２の外部に出やすいように、スイング時に前記錘１０３が衝突する内部空間の反グリップ側に透孔１０５を設けたものも提案されているが、やはり、前記錘１０３が小さいということもあり、衝突音が小さく、かつ、衝突の際の衝撃も小さく、ヘッドスピードが一定の値を超えた瞬間を認識しにくいという問題がある。
【０００４】
一方、ゴルフクラブまたは野球用バットのスイング練習機として、シャフトに環状の錘を嵌め、スイング時に前記錘をシャフト上にて移動させ、シャフトの先端部に設けた被打撃部材に前記錘を衝突させるものが提案されている（特許文献３）。
しかしながら、このスイング練習機においては、ボールを打った時のインパクトの感触やバットのしなり感を再現することに重点がおかれており、スイングスピードが一定の値を超えたことを判断できるものではない。
【先行技術文献】
【特許文献】
【０００５】
【特許文献１】特許第５６６２９４８号公報
【特許文献２】特許第５４９７２００号公報
【特許文献３】特許第５７０３４３８号公報
【発明の概要】
【発明が解決しようとする課題】
【０００６】
上記従来のスイング練習機においては、錘がヘッドの内部空間に納められているため、錘によって得られる衝突音が小さく、かつ、衝突の際の衝撃も小さく、ヘッドスピードが一定の値を超えた瞬間を認識しにくいという問題や、シャフトの延長線上に錘が配置されていると、実際のゴルフクラブを振った場合に感じることができるヘッドの返り（シャフトの延長線上の周囲を回転する動き）を再現できないという問題がある。
また、従来のスイング練習機においては、正しいスイングによってゴルフボールのインパクト位置においてヘッドスピードが一定の値を超えているのか否かについて判断できるものではないという問題がある。
【０００７】
そこで、本発明の目的は、上記従来の課題を解決し、錘を外部に露出するように装着することで、錘の衝突音を大きくすることができ、かつ、錘を大きくすることで衝突の際の衝撃を大きくすることができ、正しいスイングによってインパクト位置においてヘッドスピードが一定の値を超えているか否かを認識しやすいゴルフスイング練習機を提供することにある。
【０００８】
本発明の他の目的は、実際のゴルフクラブを振った場合に感じることができるヘッドの返りを再現できるゴルフスイング練習機を提供することにある。
本発明の他の目的は、シャフトの延長線上から外れて錘がスライド移動する方向を適宜変更することで、錘をスライド移動させる力の大きさを弱めるように変更でき、錘の重量を大きくすることもできるゴルフスイング練習機を提供することにある。
【０００９】
本発明の他の目的は、錘が移動しても重心の移動量が少なく、違和感の無いスイング練習を行うことができるゴルフスイング練習機を提供することにある。
本発明の他の目的は、スイング時において磁石による錘の吸着が解除されても、スイング後すぐに錘をシャフト側へ戻すことができるゴルフスイング練習機を提供することにある。
また、本発明の他の目的は、スイング時において磁石による錘の吸着が解除されるスイングスピードをゴルフボールのインパクト位置付近における好適なヘッドスピードと対応するように簡単に調節して設定（変更）でき、さらには安定した動作を得られるゴルフスイング練習機を提供することにある。
【００１０】
また、本発明の他の目的は、シャフトの延長線上から外れて錘がスライド移動した場合においても、シャフトの延長線上からの重心の移動量が小さく、実際のゴルフクラブをスイングする場合と同程度の重心距離を維持できるゴルフスイング練習機を提供することにある。
本発明の他の目的は、実際のゴルフクラブにてアドレスした場合と同じような外観形態を有するゴルフスイング練習機を提供することにある。
【課題を解決するための手段】
【００１１】
本発明は、「基端部にグリップが装着されるシャフトの先端部に固定された連結部と、前記連結部から延び出る突出部と、前記突出部に沿ってスライド移動可能な状態で当該突出部に外装された錘体と、前記錘体を前記シャフト側へ引き寄せて吸着し保持する磁石と、前記突出部の先端部に形成され、前記錘体が前記突出部から抜け出すことを防止する抜け止め部と、からなるヘッド部を備え、
スイング速度が所定の値を超えた際に、前記磁石による前記錘体の吸着が解除され、前記錘体が前記抜け止め部と衝突することで、インパクトの瞬間を認識できるゴルフスイング練習機」を最も主要な特徴とするものである。
【００１２】
また、本発明は、「基端部にグリップが装着されるシャフトの先端部において、当該シャフトの延長線上から外れる方向にスライド移動可能に外装された錘体と、前記錘体を前記シャフト側へ引き寄せて吸着し保持する磁石と、前記錘体が前記シャフトの先端部から抜け出すことを防止する抜け止め部と、からなるヘッド部を備え、
スイング速度が所定の値を超えた際に、前記磁石による前記錘体の吸着が解除され、前記錘体が前記抜け止め部と衝突することで、インパクトの瞬間を認識できるゴルフスイング練習機」を主要な特徴とするものである。
【００１３】
本発明のゴルフスイング練習機において、前記錘体がスライド移動した際に生じるヘッド部の重心の移動は、前記シャフトの延長線上からの距離の差として２〜４ｍｍの範囲内であるものであってもよい。
本発明のゴルフスイング練習機において、前記シャフトの延長線上から前記ヘッド部の重心までの距離（重心距離）は、実際のウッドゴルフクラブ又はアイアンゴルフクラブにおけるシャフトの延長線上からそれらのヘッドの重心までの距離と同程度となるように設定されているものであってもよい。
【００１４】
本発明のゴルフスイング練習機は、前記錘体を前記シャフト側へ付勢するバネを備えているものであってもよい。
本発明のゴルフスイング練習機において、前記連結部は、非磁性体である亜鉛合金から製造されており、前記錘体と接する部分に前記磁石が埋め込まれているものであってもよい。
本発明のゴルフスイング練習機は、ゴルフボールのインパクト位置付近において、前記磁石による前記錘体の吸着が解除されるように、前記磁石による前記錘体の吸着力が設定されているものであってもよい。
【００１５】
本発明のゴルフスイング練習機において、前記錘体がスライド移動できる距離は、５〜２０ｍｍの範囲内であるものであってもよい。
本発明のゴルフスイング練習機において、前記錘体は、貫通孔を有する筒状に形成されており、当該貫通孔に前記突出部が挿通されることで、前記突出部に装着され、かつ、前記錘体を前記連結部側へ付勢するバネが前記貫通孔内に収納されるように配置されているものであってもよい。
本発明のゴルフスイング練習機において、前記連結部は、スイング練習の際のアドレス時において前記突出部が水平方向を向くように屈曲形成されているものであってもよい。
【発明の効果】
【００１６】
上記のように構成した本発明のゴルフスイング練習機においては、前記ヘッド部の前記錘体が、前記シャフトの先端部においてスライド移動可能な状態で外装されているため、前記磁石による前記錘体の吸着が解除され、前記錘体が前記抜け止め部と衝突した際に生じる衝突音をハッキリと認識することができ、スイング速度が所定の値を超えた時点を簡単かつ確実に確認しながらスイング練習を行うことができる。
【００１７】
さらに、本発明のゴルフスイング練習機において、前記ヘッド部の前記錘体が、前記シャフトの先端部において、当該シャフトの延長線上から外れる方向にスライド移動可能に外装されている場合には、実際のゴルフクラブを振った場合に感じることができるヘッドの返りを再現できるゴルフスイング練習機を提供することができる。
また、前記錘体をスライド移動させる力の大きさの調節を行うこともできる。
【００１８】
本発明のゴルフスイング練習機において、前記錘体がスライド移動した際に生じるヘッド部の重心の移動が、前記シャフトの延長線上からの距離の差として２〜４ｍｍの範囲内である場合には、前記錘体がスライド移動した際における違和感の無い状態でスイングを行うことができる。
また、本発明のゴルフスイング練習機において、前記シャフトの延長線上から前記ヘッド部の重心までの距離が、実際のウッドゴルフクラブ又はアイアンゴルフクラブにおけるシャフトの延長線上からそれらのヘッドの重心までの距離と同程度となるように設定されている場合には、実際のウッドゴルフクラブ又はアイアンゴルフクラブをスイングしているようなヘッド部の返りを感じつつスイング練習を行うことができる。
【００１９】
本発明のゴルフスイング練習機において、前記錘体を前記シャフト側へ付勢するバネを備えている場合には、前記抜け止め部と衝突した前記錘体を速やかに前記シャフト側へ戻すことができる。また、バネの有無やバネ定数を変更することで、錘体がスライド移動するタイミングを変更することができる。
本発明のゴルフスイング練習機において、前記連結部が、非磁性体である亜鉛合金から製造されており、前記錘体と接する部分に前記磁石が埋め込まれている場合には、前記ヘッド部の十分な強度及び好適な重量バランスを得ることができるばかりか、使用によっても磁力が非磁性体に移ることが無く、磁力を発揮する前記磁石の端面を前記錘体と正確に対応させることができ、安定した動作を得ることができる。
【００２０】
本発明のゴルフスイング練習機において、ゴルフボールのインパクト位置付近において前記磁石による前記錘体の吸着が解除されるように、前記磁石による前記錘体の吸着力が設定されている場合には、インパクト位置にてスイング速度を高めるという理想的なスイングを習得する練習を認識的に行うことができる。
本発明のゴルフスイング練習機において、前記錘体がスライド移動できる距離が、５〜２０ｍｍの範囲内である場合には、重心位置の移動量が小さいため、実際のウッドゴルフクラブ又はアイアンゴルフクラブをスイングしているようなリアリティーのあるスイング練習を実現することができる。
【００２１】
本発明のゴルフスイング練習機において、前記錘体が、貫通孔を有する筒状に形成されており、当該貫通孔に前記突出部が挿通されることで、前記突出部に装着され、かつ、前記錘体を前記連結部側へ付勢するバネが前記貫通孔内に収納されるように配置されている場合には、前記ヘッド部の構成をシンプルで外観デザイン上も優れたものとすることができ、かつ、前記錘体を安全かつ確実に保持しスライド移動させることができる。
また、前記錘体を速やかに前記シャフト側へ戻すことができ、バネ定数を変更することで、錘体がスライド移動するタイミングを変更することもできる。
【００２２】
本発明のゴルフスイング練習機において、前記連結部が、スイング練習の際のアドレス時において前記突出部が水平方向を向くように屈曲形成されている場合には、外観上において実際のゴルフクラブと同様のフィーリングを得ることができるばかりか、ヘッド部の返りを感じることができ、リアリティーのあるスイング練習を行うことができる。
【図面の簡単な説明】
【００２３】
【図１】図１は本発明を具体化した一実施形態のゴルフスイング練習機の先端部付近を示し、（Ａ）はヘッド部の正面図、（Ｂ）はヘッド部の分解斜視図である。
【図２】図２は本発明のゴルフスイング練習機の全体とグリップの他の実施形態を示す正面図である。
【図３】図３は本発明のゴルフスイング練習機の連結部及び突出部を示し、（Ａ）は正面図、（Ｂ）は側面図、（Ｃ）は平面図である。
【図４】図４は本発明のゴルフスイング練習機の先端部（ヘッド部）の平面図である。
【図５】図５は本発明のゴルフスイング練習機の先端部の部分断面図であって、（Ａ）は錘体が磁石と吸着している状態を示し、（Ｂ）は錘体が磁石から離れ抜け止め部に衝突した状態を示す図である。
【図６】図６は本発明のゴルフスイング練習機の雌ねじ部を含む連結部の材質と重心距離を示す表と、錘体がスライド移動した距離と重心距離の変化量を示す表を示す図である。
【図７】図７は本発明のゴルフスイング練習機のバネを変更してスイングした際に錘体が磁石から離れて衝突音が発生する位置を上から見た図と、錘体が磁石から離れて衝突音が発生した位置の測定結果を表にして示す図である。
【図８】図８は本発明のゴルフスイング練習機の他の実施形態を示す図であって、（Ａ）はゴルフスイング練習機の連結部と突出部の側面図、（Ｂ）はゴルフスイング練習機の連結部と突出部の正面図である。
【図９】図９は従来のスイング練習機を示す部分断面図である。
【発明を実施するための形態】
【００２４】
本発明のゴルフスイング練習機は、「基端部にグリップが装着されるシャフトの先端部に固定された連結部と、前記連結部から延び出る突出部と、前記突出部に沿ってスライド移動可能な状態で当該突出部に外装された錘体と、前記錘体を前記シャフト側へ引き寄せて吸着し保持する磁石と、前記突出部の先端部に形成され、前記錘体が前記突出部から抜け出すことを防止する抜け止め部と、からなるヘッド部を備え、
スイング速度が所定の値を超えた際に、前記磁石による前記錘体の吸着が解除され、前記錘体が前記抜け止め部と衝突することで、インパクトの瞬間を認識できるゴルフスイング練習機」及び「基端部にグリップが装着されるシャフトの先端部において、当該シャフトの延長線上から外れる方向にスライド移動可能に外装された錘体と、前記錘体を前記シャフト側へ引き寄せて吸着し保持する磁石と、前記錘体が前記シャフトの先端部から抜け出すことを防止する抜け止め部と、からなるヘッド部を備え、
スイング速度が所定の値を超えた際に、前記磁石による前記錘体の吸着が解除され、前記錘体が前記抜け止め部と衝突することで、インパクトの瞬間を認識できるゴルフスイング練習機」であって、以下において説明する実施形態などにより好適に具体化することができる。
【００２５】
以下、本発明を具体化したゴルフスイング練習機の一実施形態について説明する。
図１及び図２などに示すように、本発明の一実施形態のゴルフスイング練習機１０は、カーボン繊維強化プラスチック製のゴルフクラブ用シャフトＳと、当該シャフトＳの基端部に装着されて固定されたゴム製のグリップＧと、前記シャフトＳの先端部に固定されたヘッド部Ｈとから構成されている。
【００２６】
本実施形態のゴルフスイング練習機１０において、前記ヘッド部Ｈは、シャフトＳの先端部に固定された連結部１と、前記連結部１から延び出る突出部２と、前記突出部２に沿ってスライド移動可能な状態で当該突出部２に外装された錘体３と、前記錘体３を前記シャフトＳ側へ引き寄せて吸着し保持する３個の磁石４と、前記突出部２の先端部に形成され、前記錘体３が前記突出部２から抜け出すことを防止する抜け止め部５と、から構成されている。そして、スイング速度が所定の値を超えた際に、前記磁石４による前記錘体３の吸着が解除され、前記錘体３が前記抜け止め部５と衝突することで衝突音を発生し、インパクトの瞬間を認識できるようになっている。
【００２７】
本実施形態のゴルフスイング練習機１０において、前記連結部１は、非磁性体である亜鉛合金から製造されており、ステンレス製の前記錘体３と接する部分に前記磁石４が等間隔にて埋め込まれて固定されている。かかる構成を採用することで、前記ヘッド部Ｈの十分な強度及び好適な重量バランスを得ることができるばかりか、磁力を発揮する磁石４の端面を錘体３と正確に対応させることができ、安定した動作を得ることができる。
【００２８】
そして、ゴルフボールのインパクト位置付近においてヘッド部Ｈが望ましいヘッドスピードに達すると、前記磁石４による前記錘体３の吸着が解除され、錘体３が前記抜け止め部５と衝突することで、「カチッ」というような衝突音を発生するように、磁石４による錘体３の吸着力が設定されている。
本実施形態のゴルフスイング練習機１０において、前記錘体３は、貫通孔３ａを有する円筒状（環状）に形成されており、当該貫通孔３ａに前記突出部２が挿通されることで、突出部２の外側において外部に露出するように装着され保持されている。さらに、錘体３を連結部１側へ付勢するバネ６が貫通孔３ａ内に収納されるように配置されている。
【００２９】
前記抜け止め部５は、金属製であって、前記錘体３の外径よりも外径が大きい円盤状に形成されており、その外面を覆って保護するように有底円筒状の弾性体７が嵌め込まれている。
さらに、抜け止め部５のシャフトＳ側の端面中央部にはシャフトＳ側へ延びる円柱状のガイド部５ａが形成されている。
前記ガイド部５ａのさらにシャフトＳ側の端面中央部にはシャフトＳ側へ延び出る雄ねじ部５ｂが形成されている。
そして、当該雄ねじ部５ｂは、前記連結部１の先端面から抜け止め部５側へ延び出る円筒状の雌ねじ部１ａの先端側と螺合し、連結部１と抜け止め部５とを一体化するようになっている。
【００３０】
ここで、前記ガイド部５ａ及び前記雌ねじ部１ａは、錘体３の貫通孔３ａの内径よりも若干外径が小さく形成されており、当該ガイド部５ａ及び前記雌ねじ部１ａの軸心方向に沿って錘体３がスライド移動できるようになっている。
即ち、本実施形態のゴルフスイング練習機１０においては、前記連結部１の先端面から延び出る雌ねじ部１ａと、抜け止め部５の端面からシャフトＳ側へ延びるガイド部５ａとから、連結部１から延び出る前記突出部２が構成され、当該突出部２に沿ってスライド移動可能な状態で錘体３が突出部２に外装されている。
【００３１】
本実施形態のゴルフスイング練習機１０において、前記連結部１は、スイング練習の際のアドレス時において前記突出部２が水平方向を向くように屈曲形成されており、シャフトＳの先端部において、錘体３は、シャフトＳの延長線上から外れる方向にスライド移動可能に外装されている。
従って、本実施形態のゴルフスイング練習機１０においては、実際のゴルフクラブと同様にヘッド部Ｈの返り（回転）を感じることができる。
【００３２】
本実施形態のゴルフスイング練習機１０において、前記シャフトＳの長さと、前記ヘッド部Ｈの重量は、実際のウッドゴルフクラブ又はアイアンゴルフクラブによって得られるスイングバランスと同程度となるように設定することもできる。
さらに、本実施形態のゴルフスイング練習機１０において、図１（Ａ）に示すシャフトＳの延長線上からヘッド部Ｈの重心ｃｇまでの距離（重心距離ｔ）は、実際のウッドゴルフクラブ又はアイアンゴルフクラブにおけるシャフトの延長線上からそれらのヘッドの重心までの距離と同程度となるように設定されている（図６参照）。
【００３３】
前記連結部１の重量、前記ヘッド部（頭部）Ｈの重量、ゴルフスイング練習機１０の総重量は、連結部１の材質を変更することによって変化するため、シャフトＳの好ましい長さは、一例として図６の上側の表に示すとおりとなる。
即ち、前記連結部１の材質が亜鉛合金（ＺＩＮＣ＋ＡＬＭ）の場合には、雌ねじ部１ａを含む当該連結部１の重量は１７５ｇとなり、ヘッド部Ｈの重量は４１４ｇとなり、ゴルフスイング練習機１０の総重量は５３６ｇとなる。そして、重心距離ｔは、錘体３が磁石４と吸着している移動前が３４ｍｍ、錘体３が磁石４から１０ｍｍ離れて前記抜け止め部５と接する移動後が３７ｍｍとなり、実際のゴルフクラブと同様なスイング感覚を得るためのシャフトＳの理想的な長さは２５インチとなる。
【００３４】
また、図６の下側の表に示すとおり、錘体３がスライド移動できる距離は、５〜２０ｍｍの範囲内であることが好ましく、錘体３がスライド移動した際に生じる重心ｃｇの移動量は、シャフトＳの延長線上からの距離（重心距離ｔ）の差として２〜４ｍｍの範囲内であることが好ましい。
この錘体３がスライド移動できる距離は、錘体３がスライド移動する方向に沿った当該錘体３の長さ、当該錘体３の重量、前記突出部２の長さ、シャフトＳの延長線と突出部２が為す角度θなどを変更することによって適宜調節可能である。
上記のとおりの構成を採用することで、本実施形態のゴルフスイング練習機１０においては、重心ｃｇの移動量が小さく、実際のゴルフクラブをスイングするのと同じような感覚でスイング練習を行うことができる。
【００３５】
本実施形態のゴルフスイング練習機１０においては、錘体３をシャフトＳ側へ付勢するバネ６を備えている。従って、磁石４から離れた錘体３を速やかにシャフトＳ側（磁石４側）へ戻すことができるばかりか、バネ６の有無やそのバネ定数を変更することで、錘体３が磁石４から離れるタイミングを適宜変更して設定することができる。
さらに、錘体３がスライド移動できる距離を１０ｍｍ程度とした場合には、バネ６がからまるという不具合の発生を防ぐことができる。
【００３６】
上記のとおり構成されたゴルフスイング練習機１０においては、スイング速度が所定の値を超えた際に、磁石４による錘体３の吸着が解除され、錘体３が抜け止め部５と衝突することで明瞭な衝突音が発生し、インパクトの瞬間を認識することができる。
ここで、一般的な成人男性のゴルファーについて、ドライバーのヘッドスピード（Ｈ／Ｓ）を調査したところ、３９〜４３ｍ／ｓに人数分布のピークがあり、これらの数値範囲に該当するゴルファーの割合は４０％程度存在することが分かったため、汎用的で好適な一実施形態のゴルフスイング練習機１０においては、ゴルフボールをインパクトする位置におけるヘッドスピードが３９〜４３ｍ／ｓに相当する瞬間に磁石４による錘体３の吸着が解除されるように磁石４の磁力、磁石４の個数、バネ６の強さ、錘体３の重量などを設定するとよい。
【００３７】
上記について確認するため、複数の被験者（テスター）によってゴルフスイング練習機１０をスイングした試験の結果が図７に示されている。
この図７に示す試験は、スイング中において錘体３が抜け止め部５と衝突する衝突音が得られた位置を確かめるために行ったものであり、ゴルフスイング練習機１０を振り下ろすスイングを開始するトップ位置からゴルフボールのインパクト位置を経てフォロー位置までを８つに区分し、それらに０〜５の評価点数を割り振って得られた結果を示すものである。
【００３８】
上記の試験結果から、バネなし、弱いバネ、強いバネを装着したゴルフスイング練習機１０において、インパクト位置におけるヘッドスピードが３９〜４３ｍ／ｓに相当する瞬間に前記磁石４による前記錘体３の吸着が解除され、そのインパクト位置にて最も良く衝突音が得られるようにするには、弱いバネを用いると良いことが確認できた。
なお、このようなバネ６の強さの設定は、上記にても説明したとおり、磁石４の強さ、磁石４の個数、錘体３の重量などに応じて適宜調節され、設定（変更）されるべきものである。
【００３９】
このような磁石４による錘体３の吸着が解除される瞬間を調節するには、錘体３がスライド移動する方向と、シャフトＳの延長線が為す角度θを変更することによっても可能である。
具体的には、錘体３がスライド移動する方向と、シャフトＳの延長線が為す角度θを大きくすれば錘体３に加わる突出部２に沿った方向の力が弱まり、磁石４による錘体３の吸着が解除されるのに必要なヘッド部Ｈの速度は速くなる。
逆に錘体３がスライド移動する方向と、シャフトＳの延長線が為す角度θを小さくすれば、錘体３に加わる突出部２に沿った方向の力が高まり、磁石４による錘体３の吸着が解除されるのに必要なヘッド部Ｈの速度は遅くなる。
【００４０】
次に、上記にて説明したゴルフスイング練習機１０を製造する方法について説明する。
本発明のゴルフスイング練習機１０のヘッド部Ｈを構成する各金属製部品は、従来公知の鋳造技術、切削・研磨加工技術、メッキ技術などを用いて容易に製造可能である。
そして、本発明のゴルフスイング練習機１０のヘッド部Ｈを構成する各金属製部品の組み付けは、以下の手順にて可能である。
【００４１】
まず、前記シャフトＳの先端部と前記連結部１は、当該連結部１の上端部に設けたシャフト挿入穴１ｂにシャフトＳの先端部を差し込み、接着剤及びピンなどを用いて固定可能である。また、連結部１と磁石４は、当該連結部１に形成した小穴１ｃに磁石４を入れ、接着剤を用いて固定可能である。
次に、連結部１の雌ねじ部１ａに錘体３の貫通孔３ａを対応させて雌ねじ部１ａの外側に錘体３を装着する。そして、バネ６を雌ねじ部１ａと貫通孔３ａとの間の隙間に配置し、雄ねじ部５ｂを雌ねじ部１ａに螺合する。このとき、安全のために雄ねじ部５ｂと雌ねじ部１ａを接着剤にて固定するとよい。
また、抜け止め部５の外側には、弾性体７を嵌めて接着剤にて固定する。
【００４２】
上記ヘッド部Ｈの組み付け状態において、バネ６の連結部１側の端部は、錘体３の端部において貫通孔３ａの内側に膨出するように形成したフランジ部３ｂに当接し、バネ６の抜け止め部５側の端部は、ガイド部５ａの端面に当接し、錘体３を常時連結部１側へ付勢するようになっている（図５参照）。
【００４３】
上記のように錘体３を外部に露出するように装着したゴルフスイング練習機１０においては、錘体３と抜け止め部５との衝突音を大きくすることができ、かつ、錘体３を大きくすることで衝突の際の衝撃や衝突音を大きくすることもでき、ヘッドスピードが一定の値を超えるインパクトの瞬間を認識しやすいものとすることができる。
さらに、上記のように構成されたゴルフスイング練習機１０においては、実際のゴルフクラブを振った場合に感じることができるヘッドの返りを再現することができ、シャフトＳの延長線上から外れて錘体３がスライド移動する方向を適宜変更することで、磁石４による錘体３の吸着を解除する力の大きさを弱めるように変更でき、錘体３の重量を大きくすることもできる。
【００４４】
上記のようにバネ６を有するゴルフスイング練習機１０においては、スイング時において磁石４による錘体３の吸着が解除されても、スイング後すぐに錘体３をシャフトＳ側へ戻すことができ、また、スイング時において磁石４による錘体３の吸着が解除されるスイングスピードを簡単に変更することもできる。
また、上記のように構成されたゴルフスイング練習機１０においては、シャフトＳの延長線上から外れて錘体３がスライド移動した場合においても、シャフトＳの延長線上からの重心ｃｇの移動量が小さく、実際のゴルフクラブをスイングする場合と同程度の重心距離ｔを維持できるゴルフスイング練習機１０を提供することができる。
【００４５】
上記のように構成されたゴルフスイング練習機１０においては、そのヘッド部Ｈが実際のゴルフクラブにてアドレスした場合と同じような外観形態を有するため、実際のゴルフクラブをスイングするのと同じような感覚でスイング練習を行うことができる。
さらに、上記構成を有するゴルフスイング練習機１０を用いることにより、インパクト位置の手前まで手首の角度（コック）を維持し、インパクト位置にてヘッドスピードを高める理想的なスイングを習得するためのスイング練習を行うことができる。
【００４６】
なお、ゴルフスイング練習機１０をスイングしても、錘体３と抜け止め部５の衝突音が鳴らない場合の原因としては、上体の回転が不十分で手の力だけでスイングしてしまいヘッドスピードが遅いことが考えられる。従って、衝突音が鳴らない場合は、理想的なスイングができていないということを知ることができる。
【００４７】
ゴルフスイング練習機１０をスイングした際に、錘体３と抜け止め部５の衝突音がインパクト位置の手前で早く鳴ってしまう場合には、手首の角度（コック）をほどくのが早すぎ、タメが作れていないことが考えられる。従って、このような場合においても、理想的なスイングができていないということを知ることができる。
【００４８】
なお、上記実施形態のゴルフスイング練習機１０においては、通常のゴルフクラブに使用されるグリップＧをシャフトＳの基端部に装着して固定したが、図２に示すように、ゴルフクラブを正しく握ってスイングすることを練習するために指の位置を規制する突起を備えたグリップＧ１をシャフトＳの基端部に装着して固定して実施してもよい。
【００４９】
本発明のゴルフスイング練習機は、上記実施形態に限定されるものではなく、図８（Ａ）に示すように、前記連結部１と前記錘体３との接触部分にゴムなどからなる消音材８を配置して実施してもよい。この場合、錘体３が戻った場合に生じる音を無くして錘体３と抜け止め部５の衝突音のみを明瞭に認識できるようになる。
また、本発明のゴルフスイング練習機は、上記実施形態に限定されるものではなく、図８（Ｂ）に示すように、連結部１が湾曲しておらず、連結部１の一端面から水平方向を向くように前記突出部２（雌ねじ部１ａ）が形成された連結部１を用いて実施してもよい。
【００５０】
さらに、本発明のゴルフスイング練習機は、上記実施形態に限定されるものではなく、図８（Ｂ）に示すように、突出部２（雌ねじ部１ａ）のシャフトＳ側端部に錘体３が吸着する磁石９を配置して実施してもよい。
また、本発明は、錘体３側に磁石を設け、磁性体からなる連結部１と吸着するようにしたゴルフスイング練習機１０として具体化して実施してもよい。
その他、本発明は、その趣旨を逸脱しない範囲で、各部の構造、材質、形状、寸法、角度θ、設置位置、数、重量などが異なるゴルフスイング練習機において具体化して実施してもよい。例えば、カーボン繊維強化プラスチック製のゴルフクラブ用シャフトＳに代えて、スチール製のゴルフクラブ用シャフトＳを用いて実施してもよい。
【産業上の利用可能性】
【００５１】
本発明は、スイング練習の際にヘッドスピードが一定の値を超えるインパクトの瞬間を認識できるゴルフスイング練習機として、産業上好適に利用可能である。
【符号の説明】
【００５２】
１０  ゴルフスイング練習機
１    連結部
１ａ  雌ねじ部
１ｂ  シャフト挿入穴
１ｃ  小穴
２    突出部（雌ねじ部１ａ＋ガイド部５ａ）
３    錘体
３ａ  貫通孔
３ｂ  フランジ部
４    磁石（ネオジム磁石など）
５    抜け止め部
５ａ  ガイド部
５ｂ  雄ねじ部
６    バネ
７    弾性体
８    消音材
９    磁石
ｃｇ  重心
Ｇ    グリップ
Ｇ１  グリップ
Ｈ    ヘッド部（頭部）
Ｓ    シャフト
ｔ    重心距離
θ    シャフトの延長線と突出部が為す角度
１００  ゴルフスイング練習機（従来技術）
１０１  シャフト（従来技術）
１０２  ヘッド（従来技術）
１０３  錘（従来技術）
１０４  磁石（従来技術）
１０５  透孔（従来技術）
【図１】
2018015025.tif 000003
【図２】
2018015025.tif 000004
【図３】
2018015025.tif 000005
【図４】
2018015025.tif 000006
【図５】
2018015025.tif 000007
【図６】
2018015025.tif 000008
【図７】
2018015025.tif 000009
【図８】
2018015025.tif 000010
【図９】
2018015025.tif 000011